(57)【要約】【課題】図書管理システムにおいて、システム構築に要する作業負担を軽減しながら、図書の無断持ち出しを防止するとともに利用者の混乱防止を図る。また、この図書館システムの構築に用いられる情報記録システムを提供する。【解決手段】図書の管理を行う図書管理システム１において、各図書（例えば図書Ａ）に、図書識別情報を有するバーコードラベル２と、図書識別情報を含む図書管理情報を有するＲＦＩＤタグ３と、を設けるとともに、図書識別情報をバーコードラベル２から読み取るバーコード読取装置４と、図書管理情報をＲＦＩＤタグ３から非接触方式で読み取るＲＦＩＤ読取装置５と、バーコード読取装置４及びＲＦＩＤ読取装置５を制御する管理装置６と、を備える。また、既存のバーコード１５に記録された図書識別情報を読み取り、読み取った図書識別情報をＲＦＩＤタグ１６に記録する情報記録システム１０を備える。【選択図】  図１
2004210446.tif 000002
【特許請求の範囲】
【請求項１】
図書の貸出又は返却に係る管理を行う図書管理システムにおいて、
各図書は、
図書識別情報を有するバーコードラベルと、
前記図書識別情報を含む図書管理情報を有するＲＦＩＤタグと、を備え、
前記図書識別情報を前記バーコードラベルから読み取るバーコード読取装置と、
前記図書管理情報を前記ＲＦＩＤタグから非接触方式で読み取るＲＦＩＤ読取装置と、
前記バーコード読取装置の読取動作及び前記ＲＦＩＤ読取装置の読取動作を制御するとともに、読み取られた前記図書識別情報及び前記図書管理情報に基づいて図書の管理を行う管理装置と、
を備えることを特徴とする図書管理システム。
【請求項２】
前記図書識別情報は、
図書整理番号情報であり、
前記図書管理情報は、
図書整理番号情報と、図書保管場所情報、貸出日時情報、返却日時情報、利用者番号情報、最新処理日情報から選ばれた一又は複数の情報と、から構成されることを特徴とする請求項１に記載の図書管理システム。
【請求項３】
ＲＦＩＤタグに新規な情報を書き込む情報記録システムにおいて、
図書識別情報を有するバーコードラベルから前記図書識別情報を読み取る情報読取装置と、
前記情報読取装置で読み取った前記図書識別情報を含む図書管理情報を、前記ＲＦＩＤタグに非接触方式で書き込む情報書込装置と、
前記情報読取装置の読取動作及び前記情報書込装置の書込動作を制御する制御装置と、
を備えることを特徴とする情報記録システム。
【発明の詳細な説明】
【０００１】
【発明の属する技術分野】
本発明は、図書管理システム及び情報記録システムに関する。
【０００２】
【従来の技術】
現在、公共の図書館や学校の図書館において、コンピュータを用いた図書管理システムが採用されている。例えば、磁気ストライプを貼付した利用者識別のためのＩＤカードと、図書に貼付された図書識別のためのバーコードラベルと、図書貸出窓口に設置された端末装置と、を備えた図書管理システムが実用化されている。かかる図書管理システムにおいては、図書館係員が、ＩＤカードのデータと図書のバーコードデータを読み込むことにより、図書の貸出又は返却を行っている。
【０００３】
また、図書の貸出又は返却を行う図書館係員の作業を軽減する目的で、利用者自身により貸出又は返却を行うことができる自動図書貸出・返却システムが提案されている。例えば、利用者が直接キー操作できるデータ処理装置と、利用者が自己のＩＤカードを挿入できるＩＤカード読取装置と、利用者が図書をセットすると自動的に図書の搬送を開始する図書搬送装置と、搬送中の図書に貼付されたバーコードラベルを自動的に読み取るバーコード読取装置と、を備え自動図書貸出・返却システムが提案されている（特許文献１参照。）。
【０００４】
また、近年においては、ＲＦＩＤ（Ｒａｄｉｏ  Ｆｒｅｑｕｅｎｃｙ  ＩＤｅｎｔｉｆｉｃａｔｉｏｎ）と呼ばれる無線認証技術を用いた図書館システムが提案されている。例えば、利用者を識別し利用履歴の記録・更新を非接触方式で行う非接触伝達機構を組み込んだ非接触ＩＤカードと、非接触ＩＤカードのデータの読取・書込を行う装置と、集積回路チップを有し図書に貼付されるＲＦＩＤ図書分類ラベルと、ＲＦＩＤ図書分類ラベルのデータを非接触方式に読み取る装置と、図書の無断持ち出し等の予防目的で使用する入退出ゲート装置と、を備える図書館システムが提案されている（特許文献２参照。）。
【０００５】
【特許文献１】
特開平６−１４９８３１号公報（第１頁、第２図）
【特許文献２】
特開２００２−２１１７１７号公報（第２頁、第２図）
【０００６】
【発明が解決しようとする課題】
しかし、前記した特許文献１に記載の自動図書貸出・返却システムを採用すると、図書を自動的に搬送するための大掛かりな図書搬送装置が必要となるので、システムを構築するためのコストが嵩んでしまう。また、図書貸出窓口が無人化するため、図書の無断持ち出しを防ぐことができないという問題がある。
【０００７】
また、前記した特許文献２に記載の図書館システムのようにＲＦＩＤ図書分類ラベルによって図書識別を行おうとすると、図書館が保有する数十万冊から数１００万冊もの図書から一斉にバーコードラベルを剥がした後、これらの図書に一斉にＲＦＩＤ図書分類ラベルを貼付する必要があるため、作業者に多大な負担を与えることとなる。また、公共施設である図書館は様々な人によって利用されるので、図書識別方式の変更を一斉に行うと、利用者が混乱するおそれがある。
【０００８】
本発明の課題は、図書管理システムにおいて、システム構築に要する作業負担を軽減しながら、図書の無断持ち出しを防止するとともに利用者の混乱防止を図ることである。
【０００９】
また、本発明の課題は、既存のバーコードに記録された情報を利用してＲＦＩＤタグに新規な情報を記録する情報記録システムを提供することである。
【００１０】
【課題を解決するための手段】
以上の課題を解決するために、請求項１に記載の発明は、図書の貸出又は返却に係る管理を行う図書管理システムにおいて、各図書は、図書識別情報を有するバーコードラベルと、前記図書識別情報を含む図書管理情報を有するＲＦＩＤタグと、を備え、前記図書識別情報を前記バーコードラベルから読み取るバーコード読取装置と、前記図書管理情報を前記ＲＦＩＤタグから非接触方式で読み取るＲＦＩＤ読取装置と、前記バーコード読取装置の読取動作及び前記ＲＦＩＤ読取装置の読取動作を制御するとともに、読み取られた前記図書識別情報及び前記図書管理情報に基づいて図書の管理を行う管理装置と、を備えることを特徴とする。
【００１１】
請求項１に記載の発明によれば、各図書には、図書識別情報を有するバーコードラベルが設けられており、バーコード読取装置により、各図書のバーコードラベルの図書識別情報を読み取ることができる。また、各図書には、図書管理情報を有するＲＦＩＤタグが設けられており、ＲＦＩＤ読取装置により、各図書のＲＦＩＤタグの図書管理情報を非接触方式で読み取ることができる。そして、読み取った図書識別情報及び図書管理情報を参照して、管理装置により、図書の管理を行うことができる。
【００１２】
例えば、貸し出される図書のバーコードラベルの図書識別情報を読み取って記録しておくとともに、持ち出される図書のＲＦＩＤタグの図書管理情報を読み取り、貸し出された図書の図書識別情報と持ち出される図書の図書管理情報とを比較することにより、持ち出される図書が貸出処理されているか否かを確認することができる。従って、図書の無断持ち出しを防止することができる。
【００１３】
また、請求項１に記載の発明によれば、既存のバーコードラベル及びバーコード読取装置を有効に利用して図書の管理を行うことができるので、システム構築に要する作業負担を軽減することができ、かつ、利用者の混乱を防ぐことができる。
【００１４】
請求項２に記載の発明は、請求項１に記載の図書管理システムにおいて、前記図書識別情報は、図書整理番号情報であり、前記図書管理情報は、図書整理番号情報と、図書保管場所情報、貸出日時情報、返却日時情報、利用者番号情報、最新処理日情報から選ばれた一又は複数の情報と、から構成されることを特徴とする。
【００１５】
請求項３に記載の発明は、ＲＦＩＤタグに新規な情報を書き込む情報記録システムにおいて、図書識別情報を有するバーコードラベルから前記図書識別情報を読み取る情報読取装置と、前記情報読取装置で読み取った前記図書識別情報を含む図書管理情報を、前記ＲＦＩＤタグに非接触方式で書き込む情報書込装置と、前記情報読取装置の読取動作及び前記情報書込装置の書込動作を制御する制御装置と、を備えることを特徴とする。
【００１６】
請求項３に記載の発明によれば、情報読取装置によってバーコードラベルから読み取った図書識別情報を、情報書込装置によってＲＦＩＤタグに非接触方式で書き込むことができる。
【００１７】
従って、例えば、ＲＦＩＤタグを採用した図書管理システムを構築する場合において、既存のバーコードラベルの図書識別情報を読み取って、ＲＦＩＤタグに記録することができる。この結果、ＲＦＩＤタグに記録するための図書識別情報を新たに作成する必要がないので、図書管理システムの構築に要する作業負担を格段に軽減することができる。
【００１８】
【発明の実施の形態】
以下、本発明の実施の形態を、図面に基づいて詳細に説明する。本実施の形態においては、図書の貸出又は返却に係る管理を行う図書管理システム１と、既存のバーコードラベルに記録された情報を利用してＲＦＩＤタグに新規な情報を記録する情報記録システム１０と、を中心に説明することとする。
【００１９】
まず、本発明の実施の形態に係る図書管理システム１について、図１から図３を用いて説明する。図１は、本実施の形態に係る図書管理システム１の全体構成を説明するためのブロック図である。図書管理システム１は、各図書（例えば、図１に示した「図書Ａ」）に貼付されたバーコードラベル２及びＲＦＩＤタグ３、貸出・返却用バーコードリーダ４、監視用リーダライタ５、管理用ＰＣ（Ｐｅｒｓｏｎａｌ  Ｃｏｍｐｕｔｅｒ）６、ＨＤＤ（Ｈａｒｄ  Ｄｉｓｋ  Ｄｒｉｖｅ）７、等を備えて構成されている。
【００２０】
バーコードラベル２は、バーコード印刷が施されたラベルである。バーコードラベル２のバーコードには、図書Ａの整理番号の情報（図書整理番号情報）が書き込まれている。本実施の形態においては、バーコードラベル３を図書Ａの表紙に貼付している（図１参照）。
【００２１】
ＲＦＩＤタグ３は、半導体集積回路及びアンテナから構成された微小なタグであり、非接触方式での電子情報の読取及び書込を可能とするものである。本実施の形態においては、ＲＦＩＤタグ３を図書Ａの背表紙に貼付している（図１参照）。ＲＦＩＤタグ３の半導体集積回路のメモリには、図書Ａの図書管理情報が書き込まれている。
【００２２】
ここで、本発明における「図書管理情報」とは、図書を識別したり、図書の利用者を識別したりするために用いられる情報である。本実施の形態においては、図書Ａの整理番号の情報である「図書整理番号情報」、図書Ａの保管場所の情報である「図書保管場所情報」、図書Ａの貸出日時の履歴情報である「貸出日時情報」、図書Ａの返却日時の履歴情報である「返却日時情報」、図書Ａの利用者番号の情報である「利用者番号情報」、図書Ａの最新の貸出日又は返却日の情報である「最新処理日情報」を、図書管理情報として採用している。なお、「図書整理番号情報」は、本発明における図書識別情報である。
【００２３】
貸出・返却用バーコードリーダ４は、管理用ＰＣ６の制御の下で、バーコードラベル２に記録された図書整理番号情報を読み取る装置である。すなわち、貸出・返却用バーコードリーダ４は、本発明におけるバーコード読取装置である。貸出・返却用バーコードリーダ４は、ケーブルＣによって管理用ＰＣ６に接続されている。貸出・返却用バーコードリーダ４によって、図書Ａのバーコードラベル２に記録された図書整理番号情報を読み取り、読み取った図書整理番号情報を管理用ＰＣ６に伝送することにより、管理用ＰＣ６で図書を管理することができる。
【００２４】
本実施の形態においては、貸出・返却用バーコードリーダ４を図書館の貸出窓口に設けている。そして、管理用ＰＣ６の制御の下で、貸し出される図書や返却される図書のバーコードラベル２の図書整理番号情報を貸出・返却用バーコードリーダ４によって読み取り、図書の貸出日時や返却日時をＨＤＤ７に記録するようにしている。
【００２５】
監視用リーダライタ５は、管理用ＰＣ６の制御の下で、ＲＦＩＤタグ３との間で無線通信を行うことにより、ＲＦＩＤタグ３に記録された図書管理情報を非接触方式で読み取る装置である。すなわち、監視用リーダライタ５は、本発明におけるＲＦＩＤ読取装置である。監視用リーダライタ５は、ケーブルＣによって管理用ＰＣ６に接続されている。監視用リーダライタ５によって、図書ＡのＲＦＩＤタグ３に記録された図書管理情報を読み取ることにより、管理用ＰＣ６で図書Ａを管理することができる。
【００２６】
監視用リーダライタ５は、ＲＦＩＤタグ３に記録された図書管理情報を読み取るためのアンテナ５ａを備えている。本実施の形態においては、リーダライタ５のアンテナ５ａを図書館の出入口付近に設けている。そして、利用者が退館する際に、利用者が所持する図書のＲＦＩＤタグ３の図書整理番号情報を読み取り、その図書の貸出処理や返却処理がなされているか否かを監視して、図書の盗難（無断持ち出し）を防止するようにしている。
【００２７】
管理用ＰＣ６は、貸出・返却用バーコードリーダ４の読取動作や監視用リーダライタ５の読取動作等を制御するとともに、読み取られた図書識別情報及び図書管理情報に基づいて図書の管理を行う装置である。すなわち、管理用ＰＣ６は、本発明における管理装置である。管理用ＰＣ６は、ＣＰＵ（Ｃｅｎｔｒａｌ  ＰｒｏｃｅｓｓｉｎｇＵｎｉｔ）６ａ、ＲＯＭ（Ｒｅａｄ  Ｏｎｌｙ  Ｍｅｍｏｒｙ）６ｂ、ＲＡＭ（Ｒａｎｄｏｍ  Ａｃｃｅｓｓ  Ｍｅｍｏｒｙ）６ｃ、表示部６ｄ、入力部６ｅ、等を備えている。
【００２８】
ＣＰＵ６ａは、ＲＯＭ６ｂ内に格納された各種制御プログラムに基づいて、管理用ＰＣ６自体を制御するとともに、貸出・返却用バーコードリーダ４及び監視用リーダライタ５を制御するものである。ＲＯＭ６ｂは、管理用ＰＣ６、貸出・返却用バーコードリーダ４及び監視用リーダライタ５を制御するための制御プログラムや、図書の貸出・返却処理を自動的に処理する図書貸出・返却管理プログラム等を格納するメモリである。ＲＡＭ６ｃは、各種プログラムの実行によって生成される各種データを一時的に格納する作業領域として機能するメモリである。
【００２９】
表示部６ｄは、図書の貸出・返却に係る処理を行うための処理画面を表示するものである。表示部６ｄとしては、ＣＲＴ（Ｃａｔｈｏｄｅ  Ｒａｙ  Ｔｕｂｅ）ディスプレイや液晶ディスプレイを採用することができる。入力部６ｅは、利用者がＣＰＵ６ａに指示を与えるための信号を入力するものである。入力部６ｅとしては、キーボード、マウス、表示部６ｄに組みこまれるタッチパネル等を採用することができる。
【００３０】
ＨＤＤ７は、管理用ＰＣ６のＣＰＵ６ａに接続された外部記録装置であり、管理用ＰＣ６のＲＯＭ６ｂ内の図書貸出・返却管理プログラムによって生成した図書の貸出・返却に係る情報を記録するものである。本実施の形態においては、ＨＤＤ７に、貸出・返却履歴情報（図書毎の貸出日時及び返却日時の履歴情報）を記録している。図２は、ＨＤＤ７に記録された図書Ａの貸出・返却履歴情報の一部を示す図である。
【００３１】
次に、図書管理システム１の図書貸出時の盗難防止動作について、図３を用いて説明する。図３は、図書貸出時の盗難防止動作を説明するためのフローチャートである。
【００３２】
まず、所定の図書を所持した利用者が、退館するために図書館の出入口に近付くと、管理用ＰＣ６の制御の下で、監視用リーダライタ５が、アンテナ５ａを介して、その図書のＲＦＩＤタグ３に記録された図書管理情報を読み取る（タグ読取工程：Ｓ１）。管理用ＰＣ６は、監視用リーダライタ５によって読み取られた図書管理情報を参照し、ＲＯＭ６ｂ内の図書貸出・返却管理プログラムにより、その図書が貸出処理されているか否かを判定する（貸出処理判定工程：Ｓ２）。
【００３３】
図書が貸出処理されているかは、以下のように判定する。管理用ＰＣ６は、監視用リーダライタ５を介して、ＲＦＩＤタグ３に記録された図書整理番号情報を読み取り、この図書整理番号情報を有する図書が実際に貸し出されているか否かを、読み取った時の日付と、ＨＤＤ７に記録された貸出履歴情報と、によって確認する。例えば、ＲＦＩＤタグ３に記録された図書整理番号情報が「Ａ１２３４５６７」であり、読み取った時の日付が「２００２年１２月１８日」である場合には、図２に示した図書Ａの貸出履歴情報と一致するため、図書Ａが貸出処理されていると判定される。
【００３４】
貸出処理判定工程Ｓ２において、利用者が所持した図書が貸出処理されていると判定された場合には、管理用ＰＣ６は、ＲＯＭ６ｂ内の図書貸出・返却管理プログラムにより、その図書の貸出期間が所定の期限を超過していないか否かを判定する（貸出期限判定工程：Ｓ３）。利用者が所持した図書の貸出期間が所定の期限を超過していないと判定された場合には、管理用ＰＣ６は特定の信号等を発生させることなく、そのまま利用者の退館を許容する。
【００３５】
一方、貸出処理判定工程Ｓ２において、利用者が所持した図書が貸出処理されていないと判定された場合、又は、貸出期限判定工程Ｓ３において、利用者が所持した図書の貸出期間が所定の期限を超過していると判定された場合には、管理用ＰＣ６は、図書館の出入口に設けた（図示していない）スピーカから特定の音声を出力して、利用者及び周囲の者に報知する（信号発信工程：Ｓ４）。
【００３６】
図書管理システム１は、以上の盗難防止動作により、利用者が貸出処理をすることなく無断で図書を持ち出そうとした場合、又は、図書の貸出期間が所定の期限を超過しているにも拘らず持ち出そうとした場合に、特定の音声の出力により、利用者に注意を促すとともに周囲の者に報知することができる。
【００３７】
本実施の形態に係る図書管理システム１においては、各図書に、例えば図１に示した図書Ａのようにバーコードラベル２が設けられており、貸出・返却用バーコードリーダ４により、図書Ａのバーコードラベル２の図書整理番号情報を読み取ることができる。また、各図書に、例えば図１に示した図書Ａのように、図書管理情報を有するＲＦＩＤタグ３が設けられており、監視用リーダライタ５により、図書ＡのＲＦＩＤタグ３の図書管理情報を非接触方式で読み取ることができる。そして、読み取った図書整理番号情報及び図書管理情報を参照して、管理用ＰＣ６により、図書の管理を行うことができる。
【００３８】
具体的には、貸し出される図書Ａのバーコードラベル２の図書整理番号情報を読み取って、図書Ａの貸出履歴情報をＨＤＤ７に記録しておくとともに、持ち出される図書ＡのＲＦＩＤタグ３の図書管理情報を読み取り、貸し出された図書Ａの貸出履歴情報と持ち出される図書Ａの図書管理情報とを比較することにより、持ち出される図書Ａが貸出処理されているか否か（及び図書Ａの貸出期間が所定の期限を超過しているか否か）を確認することができる。従って、図書の無断持ち出しを防止することができる。
【００３９】
また、本実施の形態に係る図書管理システム１においては、既存のバーコードラベル２及び貸出・返却用バーコードリーダ４を有効に利用して図書の管理を行うことができるので、システム構築に要する作業負担を軽減することができ、かつ、利用者の混乱を防ぐことができる。
【００４０】
次に、本発明の実施の形態に係る情報記録システム１０について、図４を用いて説明する。本実施の形態に係る情報記録システム１０は、既存のバーコードラベルに記録された情報を利用してＲＦＩＤタグに新規な情報を記録するものである。図４は、情報記録システム１０の全体構成を説明するためのブロック図である。情報記録システム１０は、登録用バーコードリーダ１１、登録用リーダライタ１２、制御用ＰＣ１３、ＨＤＤ１４、等を備えて構成されている。
【００４１】
登録用バーコードリーダ１１は、制御用ＰＣ１３の制御の下で、所定の図書（例えば、図４に示した「図書Ｂ」）に貼付されたバーコードラベル１５から図書整理番号情報を読み取る装置である。すなわち、登録バーコードリーダ１１は、本発明における情報読取装置である。登録バーコードリーダ１１は、ケーブルＣによって制御用ＰＣ１３に接続されている。
【００４２】
登録用リーダライタ１２は、制御用ＰＣ１３の制御の下で、前記した図書（図書Ｂ）に貼付されるＲＦＩＤタグ１６との間で無線通信を行うことにより、登録用バーコードリーダ１１で読み取った図書整理番号情報を含む図書管理情報を、ＲＦＩＤタグ１６に非接触方式で書き込む装置である。すなわち、登録用リーダライタ１２は、本発明における情報書込装置である。登録用リーダライタ１２は、ケーブルＣによって制御用ＰＣ１３に接続されている。
【００４３】
制御用ＰＣ１３は、登録用バーコードリーダ１１の読取動作や登録用リーダライタ１２の書込動作を制御する装置である。すなわち、制御用ＰＣ１３は、本発明における制御装置である。制御用ＰＣ１３は、ＣＰＵ１３ａ、ＲＯＭ１３ｂ、ＲＡＭ１３ｃ、表示部１３ｄ、入力部１３ｅ、等を備えている。
【００４４】
ＣＰＵ１３ａは、ＲＯＭ１３ｂ内に格納された各種制御プログラムに基づいて、制御用ＰＣ１３自体を制御するとともに、登録用バーコードリーダ１１及び登録用リーダライタ１２を制御するものである。ＲＯＭ１３ｂは、制御用ＰＣ１３、登録用バーコードリーダ１１及び登録用リーダライタ１２を制御するための制御プログラム等を格納するメモリである。ＲＡＭ１３ｃは、各種プログラムの実行によって生成される各種データを一時的に格納する作業領域として機能するメモリである。
【００４５】
表示部１３ｄは、図書の貸出・返却に係る処理を行うための処理画面を表示するものである。表示部１３ｄとしては、ＣＲＴ（Ｃａｔｈｏｄｅ  Ｒａｙ  Ｔｕｂｅ）ディスプレイや液晶ディスプレイを採用することができる。入力部１３ｅは、利用者がＣＰＵ１３ａに指示を与えるための信号を入力するものである。入力部１３ｅとしては、キーボード、マウス、表示部１３ｄに組みこまれるタッチパネル等を採用することができる。
【００４６】
ＨＤＤ１４は、制御用ＰＣ１３のＣＰＵ１３ａに接続された外部記録装置であり、第２バーコードリーダ１１によって読み取られた図書整理番号情報を記録するものである。
【００４７】
なお、情報記録システム１０の制御用ＰＣ１３と、図書管理システム１の管理用ＰＣ６と、を（図示されていない）ケーブルを介して接続し、相互に情報を共有させることもできる。
【００４８】
本実施の形態に係る情報記録システム１０においては、登録用バーコードリーダ１１によってバーコードラベル（例えば、図書Ｂに貼付されたバーコードラベル１５）から読み取った図書整理番号情報を、登録用リーダライタ１２によってＲＦＩＤタグ（例えば、図書Ｂに貼付されるＲＦＩＤタグ１６）に非接触方式で書き込むことができる。
【００４９】
従って、本実施の形態に係る情報記録システム１０を利用して、本実施の形態に係る図書管理システム１を構築することができる。すなわち、登録用バーコードリーダ１１によって図書Ａ（図１参照）のバーコードラベル２の図書整理番号情報を読み取り、この図書整理番号情報を登録用リーダライタ１２によってＲＦＩＤタグ３に記録し、このＲＦＩＤタグ３を図書Ａに貼付する。あるいは、予め貼付しておいたＲＦＩＤタグ３に登録用リーダライタ１２によって記録する。そして、残りの図書について同一の手順を繰り返すことにより、図書管理システム１を構築することができる。この結果、図書管理システム１を構築する際に、ＲＦＩＤタグに記録するための図書整理番号情報を新たに作成する必要がないので、システム構築に要する作業負担を格段に軽減することができる。
【００５０】
なお、以上の実施の形態においては、貸出・返却用バーコードリーダ４及び監視用リーダライタ５を備えた図書管理システム１について説明したが、図５に示すように、貸出・返却用バーコードリーダ４の代わりに、貸出・返却用リーダライタ８を採用して図書Ａの管理を行うこともできる。
【００５１】
すなわち、貸出・返却用リーダライタ８によってＲＦＩＤタグ３の図書管理情報を読み取ることにより、図書Ａの貸出日時や返却日時を、管理用ＰＣ６の制御の下にＨＤＤ７に記録して、図書Ａの管理を行うことができる。また、ＲＦＩＤタグ３には、利用者管理情報も記録されているため、貸出・返却用リーダライタ８によってＲＦＩＤタグ３の利用者管理情報を読み取ることにより、図書Ａの利用者を、管理用ＰＣ６の制御の下にＨＤＤ７に記録することもできる。
【００５２】
また、図１に示した図書ＡのようにＲＦＩＤタグ３を貼付した図書群は、返却されると、所定の棚（例えば、図６に示した棚Ｔ１）に収納されるが、携帯型ＲＦＩＤリーダ２０と、携帯型バーコードリーダ２１と、を用いて、図書群を棚毎に管理することもできる。
【００５３】
例えば、棚Ｔ１収納された図書群のＲＦＩＤタグの図書管理情報を、携帯型ＲＦＩＤリーダ２０により順次（又は一括して同時に）読み取る。また、ＲＦＩＤタグのない図書群については、携帯型バーコードリーダ２１により図書整理番号情報を読み取る。そして、読み取った図書群の情報を、送信装置２２で、アンテナ９を設けた管理用ＰＣ１に無線通信によって伝送することにより、棚Ｔ１に収納された図書群の貸出状況・返却状況を把握して管理することができる。また、棚Ｔ２、棚Ｔ３に収納された図書群の貸出状況・返却状況をも、同様に管理することができる。
【００５４】
【発明の効果】
請求項１に記載の発明によれば、バーコード読取装置により、各図書のバーコードラベルの図書識別情報を読み取ることができ、ＲＦＩＤ読取装置により、各図書のＲＦＩＤタグの図書管理情報を非接触方式で読み取ることができる。そして、これら図書識別情報及び図書管理情報を参照して、管理装置により、図書の管理を行うことができる。このため、図書の無断持ち出しを防止することができる。また、既存のバーコードラベル及びバーコード読取装置を有効に利用して図書の識別を行うことができるので、システム構築に要する作業負担を軽減することができ、かつ、利用者の混乱を防ぐことができる。
【００５５】
請求項３に記載の発明によれば、情報読取装置によってバーコードラベルから読み取った図書識別情報を、情報書込装置によってＲＦＩＤタグに非接触方式で書き込むことができる。従って、例えば、ＲＦＩＤタグを採用する図書管理システムを構築する場合に、既存のバーコードラベルの図書識別情報を有効利用することができ、ＲＦＩＤタグに記録するための図書識別情報を新たに作成する必要がない。この結果、図書管理システムの構築に要する作業負担を格段に軽減することができる。
【図面の簡単な説明】
【図１】本発明の実施の形態に係る図書管理システムの全体構成を説明するためのブロック図である。
【図２】図１に示した図書管理システムのＨＤＤに記録された貸出・返却履歴情報の例を示す図である。
【図３】図１に示した図書管理システムの図書貸出時の盗難防止動作を説明するためのフローチャートである。
【図４】本発明の実施の形態に係る情報記録システムの全体構成を説明するためのブロック図である。
【図５】図１に示した図書管理システムの貸出・返却用バーコードリーダを貸出・返却用リーダライタに変更した場合の構成を説明するためのブロック図である。
【図６】棚に収納された図書群の管理方法を説明するための説明図である。
【符号の説明】
１      図書管理システム
２      バーコードラベル
３      ＲＦＩＤタグ
４      貸出・返却用バーコードリーダ（バーコード読取装置）
５      監視用リーダライタ（ＲＦＩＤ読取装置）
６      管理用ＰＣ（管理装置）
１０      情報記録システム
１１      登録用バーコードリーダ（情報読取装置）
１２      登録用リーダライタ（情報書込装置）
１３      制御用ＰＣ（制御装置）
Ａ、Ｂ    図書
【図１】
2004210446.tif 000003
【図２】
2004210446.tif 000004
【図３】
2004210446.tif 000005
【図４】
2004210446.tif 000006
【図５】
2004210446.tif 000007
【図６】
2004210446.tif 000008